(57)【要約】      （修正有）【課題】使用しない時に体積を縮小させる、収納式ローイングマシンを提供する。【解決手段】収納式ローイングマシンは、本体１と、ローイングマシンシート２と、少なくとも１つの押し引きベース部３と、少なくとも２つの折り込みベース部４と、を備え、前記本体内に格納室５が設けられ、前記格納室の開口部にペダル８がヒンジ結合される。同時に、本体にロープの所要の長さを短くするためのケーブル巻き取り装置が設けられ、ダンパーに磁石と金属リングを介して減衰調整作用を行うための減衰調整装置が設けられる。本考案は、主に枠体全体の折り畳みと収納、ロープの短距離巻き取り作用及びダンパーへの減衰力の自由調整を実現でき、折り込みベース部上に高低差の距離を回避する可動枠が設けられることで、振動緩衝作用を実現し、全体の機能が多様で、ローイングマシン製品の使用者の体験を効果的に高めることができる。【選択図】図１
0003235012.tif 000002
【実用新案登録請求の範囲】
【請求項１】
収納式ローイングマシンであって、本体と、ローイングマシンシートと、少なくとも１つの押し引きベース部と、少なくとも２つの折り込みベース部と、を備え、前記本体内に格納室が設けられ、前記折り込みベース部の間がヒンジで接続され、最内側に位置する前記折り込みベース部がスライドレールを介して前記押し引きベース部の一端に取り付けられ、前記押し引きベース部の他端が前記スライドレールを介して前記格納室の内側壁に接続され、前記折り込みベース部上に互いに連通し、前記ローイングマシンシートを設置するための摺動溝が設けられ、前記格納室の開口部にペダルがヒンジ結合され、前記押し引きベース部と前記折り込みベース部との境界部に前記折り込みベース部、前記押し引きベース部及び前記ペダルの動きを規制するためのロックピン機構が設けられることを特徴とする、収納式ローイングマシン。
【請求項２】
前記ロックピン機構は、緊締杆を備え、前記緊締杆は「Ｌ」字形で、第１杆部と、前記第１杆部の右端に接続される第２杆部と、を備え、前記第１杆部が前記押し引きベース部の内側壁に水平に配置され、回転及び水平方向の移動が可能で、前記第２杆部が前記第１杆部の軸を中心に回転でき、
前記押し引きベース部と隣接する前記折り込みベース部に緊締溝が設けられ、前記第２杆部が回転すると、前記第２杆部が前記緊締溝に位置決めされることで前記折り込みベース部のロックを実現し、前記第２杆部が元の位置に戻すように回転すると、前記第２杆部は前記緊締溝から離脱されることで前記折り込みベース部のロック解除を実現し、
前記ペダルの末端に前記押し引きベース部の縁端に適切に合う固定用凹み部が設けられ、前記ペダルが踏み込まれた後、前記固定用凹み部は前記押し引きベース部の縁端部に重着され、前記第１杆部の末端が前記ペダルに突き当てることで、前記ペダルを動き続けることができないようにさせ、同時に前記第１杆部に第１バネが外嵌され、前記第１バネの作用において、前記第１杆部の末端にペダル方向に移動する推力がある、
ことを特徴とする、請求項１に記載の収納式ローイングマシン。
【請求項３】
前記第１杆部の末端に前記第１杆部の長さを増減するためのアジャストナットがねじ込み結合され、前記アジャストナットを介して前記ペダルに突き当てることを特徴とする、請求項２に記載の収納式ローイングマシン。
【請求項４】
前記本体に支持杆が軸着され、前記支持杆の他端が前記ペダルの背面と軸着し、前記支持杆は油圧ロッド又はヒンジ式ロッドであることを特徴とする、請求項３に記載の収納式ローイングマシン。
【請求項５】
ケーブル巻き取り装置をさらに含み、前記ケーブル巻き取り装置は、ケーブルと、弾性部材と、第１巻き取り回転軸を介して前記本体に接続されるダンパーと、を備え、前記ケーブルの一端に引き手が設けられ、他端が前記第１巻き取り回転軸に接続すると共に巻き付け、前記本体に第２巻き取り回転軸が設けられ、前記第１巻き取り回転軸と前記第２巻き取り回転軸は伝動部材を介して同期的に連動し、前記第１巻き取り回転軸と伝動部材との連結部の直径が前記第２巻き取り回転軸と伝動部材との連結部の直径より小さく、前記第２巻き取り回転軸に巻取リールが設けられ、前記弾性部材の一端が前記本体に接続され、他端がロープを介して前記巻取リールの巻取スロット内に接続されることを特徴とする、請求項１に記載の収納式ローイングマシン。
【請求項６】
前記本体に少なくとも１つのボビンが設けられ、前記弾性部材は、前記ボビンを外嵌し；前記弾性部材は、引張りバネ又はスプリングロープ或いは弾性ロープであり、前記伝動部材がギアセット或いはタイミングベルトであることを特徴とする、請求項５に記載の収納式ローイングマシン。
【請求項７】
前記本体は、前記ロープと前記第２巻き取り回転軸の箇所、前記ケーブルと第１巻き取り回転軸の箇所に複数のロープ案内用のシーブ及び／又はローラーが設けられることを特徴とする、請求項６に記載の収納式ローイングマシン。
【請求項８】
減衰調整装置も備え、前記減衰調整装置は、前記第１巻き取り回転軸のブッシングに固定された金属リングを備え、前記金属リングの外周に環状部材が外嵌固定され、前記環状部材の内側壁に前記金属リングの外縁部に複数の規制溝が設けられ、前記規制溝内に互いに平行な第１スライドブロック及び第１摺動溝が設けられ、前記第１巻き取り回転軸の回転軸筒に軸受筒を介してギアが設けられ、前記ギアに複数の円弧状中空部が環状に配列され、前記金属リングに複数の可動ブロックが設けられ、前記可動ブロックの前記金属リングに近い側に第１磁石が設けられ、前記金属リングは強磁性体であり、前記可動ブロックに摺動杆及び互いに平行な第２スライドブロックと第２摺動溝が設けられ、前記摺動杆が対応する前記円弧状中空部内に各々挿設され、前記第１スライドブロックと前記第２摺動溝がマッチし、前記第１摺動溝と前記第２スライドブロックがマッチし、前記ギアに駆動機構が連結されることを特徴とする、請求項５に記載の収納式ローイングマシン。
【請求項９】
前記駆動機構は、タービンとウォーム又はモーターとタービンであり、
タービンとウォームの場合、前記タービンは前記ギアと噛み合い、前記ウォームの末端にノブが固定され、
モーターとタービンの場合、前記タービンは前記モーターの出力軸の末端に固定され、前記タービンが前記ギアと噛み合う、
ことを特徴とする、請求項８に記載の収納式ローイングマシン。
【請求項１０】
前記折り込みベース部の前記摺動溝に可動枠が摺動可能に取り付けられ、前記可動枠にスライドレール面が設けられ、前記ローイングマシンシートが前記スライドレール面に摺動可能に取り付けられることを特徴とする、請求項１に記載の収納式ローイングマシン。
【請求項１１】
前記可動枠の前端及び後端に第２磁石が各々設けられ、前記ローイングマシンシートの前端及び後端に第３磁石が設けられ、末尾部に位置する前記折り込みベース部に第４磁石が設けられ、前記可動枠の前記第４磁石に対向する位置に第５磁石が設けられ、前記第２磁石と前記第３磁石の磁極は同じ、前記第４磁石と前記第５磁石の磁極が同じであることを特徴とする、請求項１０に記載の収納式ローイングマシン。
【請求項１２】
前記ローイングマシンシートは、基台と、座部と、を備え、前記座部の底部に連結ポスト及び突き当て板が設けられ、前記連結ポストの末端は前記基台を挿通し、添え板を設けると共に第２バネで外嵌され、前記第２バネの一端が前記基台に突き当て、他端が前記添え板に突き当て、前記基台の表面の隅部に前記突き当て板に対応する規制ブロックが設けられ、前記基台の底部の両側に複数の滑車が各々設けられ、前記滑車は前記可動枠の前記スライドレール面に配置されることを特徴とする、請求項１１に記載の収納式ローイングマシン。
【請求項１３】
前記本体に第１ランプ及び第２ランプが設けられ、前記第１ランプの光投射方向は、前記ダンパーに面し、前記第２ランプの光投射方向が前記減衰調整装置及び前記ケーブル巻き取り装置に面し、前記減衰調整装置及び前記ケーブル巻き取り装置の上にある前記本体の筐体は透明カバープレートであり、前記第１ランプ及び前記第２ランプの動作電源の需要を満たすため、前記本体は電池を内蔵するか、又は外部電源に接続することを特徴とする、請求項８に記載の収納式ローイングマシン。
【考案の詳細な説明】
【技術分野】
【０００１】
本考案は、フィットネス器具の技術分野に関し、特に、収納式ローイングマシンに関する。
【背景技術】
【０００２】
ローイングマシンが水上で行うボート競技の動きを陸上でもトレーニングできるようにと再現されたマシンであるは世間に知れ渡っている。スライドさせるたびに、上肢、下肢、腰・腹部、背中の筋肉が収縮から伸展までの運動プロセスを完了することで、全身の筋肉を鍛え有酸素運動の効果を奏することができる。
【０００３】
現在、従来のローイングマシンの多くは、収納できず、ローイングマシン自体の多くも家庭又は室内に置かれている。使用しない時、ローイングマシンシートを設置するため枠体が長すぎるため、室内のスペースを取り、使用者に困惑をもたらしてきた。
【考案の概要】
【考案が解決しようとする課題】
【０００４】
上記従来技術に存在する不足に着目し、本考案の目的は、使用しない時に体積を縮小させる収納式ローイングマシンを提供することである。
【課題を解決するための手段】
【０００５】
上記目的を達成するために本考案では次のような技術的手段を講じた。
収納式ローイングマシンであって、本体と、ローイングマシンシートと、少なくとも１つの押し引きベース部と、少なくとも２つの折り込みベース部と、を備え、前記本体内に格納室が設けられ、前記折り込みベース部の間がヒンジで接続され、最内側に位置する前記折り込みベース部がスライドレールを介して押し引きベース部の一端に取り付けられ、前記押し引きベース部の他端がスライドレールを介して格納室の内側壁に接続され、前記折り込みベース部上に互いに連通し、ローイングマシンシートを設置するための摺動溝が設けられ、前記格納室の開口部にペダルがヒンジ結合され、前記押し引きベース部と折り込みベース部との境界部に折り込みベース部、押し引きベース部及びペダルの動きを規制するためのロックピン機構が設けられる。
【０００６】
好ましくは、前記ロックピン機構は、緊締杆を備え、前記緊締杆は「Ｌ」字形で、第１杆部と、第１杆部の右端に接続される第２杆部と、を備え、前記第１杆部が押し引きベース部の内側壁に水平に配置され、回転及び水平方向の移動が可能で、前記第２杆部が第１杆部の軸を中心に回転でき；
前記押し引きベース部と隣接する折り込みベース部に緊締溝が設けられ、前記第２杆部が回転すると、前記第２杆部が緊締溝に位置決めされることで折り込みベース部のロックを実現し、前記第２杆部が元の位置に戻すように回転すると、前記第２杆部は緊締溝から離脱されることで折り込みベース部のロック解除を実現し；
前記ペダルの末端に押し引きベース部の縁端に適切に合う固定用凹み部が設けられ、前記ペダルが踏み込まれた後、前記固定用凹み部は押し引きベース部の縁端部に重着され、前記第１杆部の末端がペダルに突き当てることで、前記ペダルを動き続けることができないようにさせ、同時に前記第１杆部に第１バネが外嵌され、第１バネの作用において、前記第１杆部の末端にペダル方向に移動する推力がある。
【０００７】
好ましくは、前記第１杆部の末端に第１杆部の長さを増減するためのアジャストナットがねじ込み結合され、アジャストナットを介してペダルに突き当てる。
【０００８】
好ましくは、前記本体に支持杆が軸着され、前記支持杆の他端が前記ペダルの背面と軸着し、前記支持杆は油圧ロッド又はヒンジ式ロッドである。
【０００９】
好ましくは、ケーブル巻き取り装置をさらに含み、前記ケーブル巻き取り装置は、ケーブルと、弾性部材と、第１巻き取り回転軸を介して本体に接続されるダンパーと、を備え、前記ケーブルの一端に引き手が設けられ、他端が第１巻き取り回転軸に接続すると共に巻き付け、前記本体に第２巻き取り回転軸が設けられ、前記第１巻き取り回転軸と第２巻き取り回転軸は伝動部材を介して同期的に連動し、前記第１巻き取り回転軸と伝動部材との連結部の直径が第２巻き取り回転軸と伝動部材との連結部の直径より小さく、前記第２巻き取り回転軸に巻取リールが設けられ、前記弾性部材の一端が本体に接続され、他端がロープを介して巻取リールの巻取スロット内に接続される。
【００１０】
好ましくは、前記本体に少なくとも１つボビンが設けられ、前記弾性部材は、ボビンを外嵌し；前記弾性部材は、引張りバネ又はスプリングロープ或いは弾性ロープであり、前記伝動部材がギアセット或いはタイミングベルトである。
【００１１】
好ましくは、前記本体は、ロープと第２巻き取り回転軸の箇所、ケーブルと第１巻き取り回転軸の箇所に複数のロープ案内用のシーブ及び／又はローラーが設けられる。
【００１２】
好ましくは、減衰調整装置も備え、前記減衰調整装置は、前記第１巻き取り回転軸のブッシングに固定された金属リングを備え、前記金属リングの外周に環状部材が外嵌固定され、前記環状部材の内側壁に前記金属リングの外縁部に複数の規制溝が設けられ、前記規制溝内に互いに平行な第１スライドブロック及び第１摺動溝が設けられ、前記第１巻き取り回転軸の回転軸筒に軸受筒を介してギアが設けられ、前記ギアに複数の円弧状中空部が環状に配列され、前記金属リングに複数の可動ブロックが設けられ、前記可動ブロックの前記金属リングに近い側に第１磁石が設けられ、前記金属リングは強磁性体であり、前記可動ブロックに摺動杆及び互いに平行な第２スライドブロックと第２摺動溝が設けられ、前記摺動杆が対応する前記円弧状中空部内に各々挿設され、前記第１スライドブロックと前記第２摺動溝がマッチし、前記第１摺動溝と前記第２スライドブロックがマッチし、前記ギアに駆動機構が連結される。
【００１３】
好ましくは、前記駆動機構は、タービンとウォーム又はモーターとタービンであり；
タービンとウォームの場合、前記タービンは前記ギアと噛み合い、前記ウォームの末端にノブが固定され；
モーターとタービンの場合、前記タービンは前記モーターの出力軸の末端に固定され、前記タービンが前記ギアと噛み合う。
【００１４】
好ましくは、前記折り込みベース部の摺動溝に可動枠が摺動可能に取り付けられ、前記可動枠にスライドレール面が設けられ、前記ローイングマシンシートがスライドレール面に摺動可能に取り付けられ、前記可動枠の前端及び後端に第２磁石が各々設けられ、前記ローイングマシンシートの前端及び後端に第３磁石が設けられ、末尾部に位置する折り込みベース部に第４磁石が設けられ、前記可動枠の第４磁石に対向する位置に第５磁石が設けられ、前記第２磁石と第３磁石の磁極は同じ、前記第４磁石と第５磁石の磁極が同じである。
【００１５】
好ましくは、前記ローイングマシンシートは、基台と、座部と、を備え、前記座部の底部に連結ポスト及び突き当て板が設けられ、前記連結ポストの末端は基台を挿通し、添え板を設けると共に第２バネで外嵌され、前記第２バネの一端が基台に突き当て、他端が添え板に突き当て、前記基台表面の隅部に突き当て板に対応する規制ブロックが設けられ、前記基台底部の両側に複数の滑車が各々設けられ、前記滑車は可動枠のスライドレール面に配置される。
【００１６】
好ましくは、前記本体に第１ランプ及び第２ランプが設けられ、前記第１ランプの光投射方向は、ダンパーに面し、前記第２ランプの光投射方向が減衰調整装置及びケーブル巻き取り装置に面し、減衰調整装置及びケーブル巻き取り装置の上にある前記本体の筐体は透明カバープレートであり、第１ランプ及び第２ランプの動作電源の需要を満たすため、前記本体は電池を内蔵するか、又は外部電源に接続する。
【考案の効果】
【００１７】
上記の技術的手段を講じたことにより、本考案は、主にローイングマシンシートを設置するための枠体を少なくとも１つの押し引きベース部及び少なくとも２つの折り込みベース部に分けることで、押し引きベース部及び折り込みベース部の折り畳み及び押し引きを満たさせることができ、本体に格納室が設けられ、収めた押し引きベース部及び折り込みベース部を格納室内に収納できることから使用しない時に収納が機能し、その他の部材間の設計と組み合わせると、マシン全体の体積を大幅に削減でき、使用者により便利な使用体験を与え、ローイングマシンの構造は単純で、操作が便利で非常に高い実用性を持っている。
【図面の簡単な説明】
【００１８】
【図１】本考案の実施例の構造原理の概略図である。
【図２】本考案の実施例の収納後の概略構成図である。
【図３】本考案の実施例の収納及び伸展の概略構成図である。
【図４】本考案の実施例の別の折り畳まれた時の概略構成図である。
【図５】本考案の実施例の別の折り畳まれた時の概略構成図である。
【図６】本考案の実施例のロックピン機構の概略構成図である。
【図７】本考案の実施例のロックピン機構の別の状態の概略構成図である。
【図８】本考案の実施例のケーブル巻き取り装置の概略構成図である。
【図９】本考案の実施例のケーブル巻き取り装置部位の立体図である。
【図１０】本考案の実施例の第１巻き取り回転軸の減衰調整の概略構成図である。
【図１１】本考案の実施例の別の減衰調整の概略構成図である。
【図１２】本考案の実施例の可動枠の概略構成図である。
【図１３】本考案の実施例のローイングマシンシートの概略構成図である。
【図１４】本考案の実施例のローイングマシンシートの立体図である。
【図１５】本考案の実施例の第２ランプの概略構成図である。
【考案を実施するための形態】
【００１９】
以下、図面を参照しつつ本考案の実施例を詳細に説明するが、本考案は請求項によって限定及びカバーされる多種多様な形態で実施することができる。
【００２０】
図１乃至図１５に示すように、本実施例により提供される収納式ローイングマシンは、本体１と、ローイングマシンシート２と、少なくとも１つの押し引きベース部３と、少なくとも２つの折り込みベース部４と、を備え、前記本体１内に格納室５が設けられ、折り込みベース部４の間がヒンジで接続され、最内側に位置する折り込みベース部４がスライドレール６を介して押し引きベース部３の一端に取り付けられ、押し引きベース部３の他端がスライドレール６を介して格納室５の内側壁に接続され、折り込みベース部４上に互いに連通し、ローイングマシンシート２を設置するための摺動溝７が設けられ、格納室５の開口部にペダル８がヒンジ結合され、押し引きベース部３と折り込みベース部４との境界部に折り込みベース部４、押し引きベース部３及びペダル８の動きを規制するためのロックピン機構９が設けられる。
【００２１】
本実施例は、ローイングマシンシート２を設置するための枠体を少なくとも１つの押し引きベース部３及び２つの折り込みベース部４に分け、折り込みベース部４に互いに連通する摺動溝７を設けることからローイングマシンシート２の取り付けを満たしながら折り込み及び押し引き収納の作用も持っている。かつ、本実施例は実際に運用する時、折り込みベース部４を任意選択で取り外し、複数の押し引きベース部３を円錐形になるようにスライドレールと１つずつ接続して枠体を形成し、押し引きによって収納を完了させる。本体１に格納室５が設けられ、折り畳まれた後、引き出し押し込み及びローラーの作用により、押し引きベース部３及び折り込みベース部４を格納室５内に押し込まれることで、収納機能を実現し、マシン全体の体積を大幅に削減でき、使用者により便利な使用体験を与える。
【００２２】
同時に、枠体の収納方法については、図４及び図５に示すように、その他の構造形式を用いることもできる。図４では、ヒンジの形式で押し引きベース部３と折り込みベース部４を結合し、収納時、直接折り込んで本体を覆い、図５では押し引きベース部３及び折り込みベース部４は接続プレート１００をヒンジ結合プレートとし、押し引きベース部３及び折り込みベース部４を繰り返し半分折りにさせた後、直接格納室５内に押し込んで収納することができる。
【００２３】
さらに、ロックピン機構９は、緊締杆１０を備え、緊締杆１０は「Ｌ」字形で、第１杆部１１と、第１杆部１１の右端に接続される第２杆部１２と、を備え、第１杆部１１が押し引きベース部３の内側壁に水平に配置され、回転及び水平方向の移動が可能で、第２杆部１２が第１杆部１１の軸を中心に回転でき；
押し引きベース部３と隣接する折り込みベース部４に緊締溝１３が設けられ、第２杆部１２が回転すると、第２杆部１２が緊締溝１３に位置決めされることで折り込みベース部４のロックを実現し、第２杆部１２が元の位置に戻すように回転すると、第２杆部１２は緊締溝１３から離脱されることで折り込みベース部４のロック解除を実現し；
ペダル８の末端に押し引きベース部３の縁端に適切に合う固定用凹み部１４が設けられ、ペダル８が踏み込まれた後、固定用凹み部１４は押し引きベース部３の縁端部に重着され、第１杆部１１の末端がペダル８に突き当てることで、ペダル８を動き続けることができないようにさせ、同時に第１杆部１１に第１バネ１５が外嵌され、第１バネ１５の作用において、第１杆部１１の末端にペダル８方向に移動する推力がある。
【００２４】
さらに、第１杆部１１の末端に第１杆部１１の長さを増減するためのアジャストナット１６がねじ込み結合され、アジャストナット１６を介してペダル８に突き当てる。アジャストナット１６がペダル８に突き当て、第２杆部１２が緊締溝１３に突き当てると、ペダル８、押し引きベース部３及び折り込みベース部４は、対応する水平移動を行うことができないため、緊締効果を奏する。ここで、連続使用の過程で、アジャストナット１６は、ペダル８に突き当てる部材として、アンロック及びロック中に繰り返し回転摩擦するか、又は機械部品の長期間の使用後にクリアランス許容差が生じ、よってロックピン機構９の全長が突き当ての要件を満たせず、緩み感が生じることから使用者の製品に対する体験に影響を与えるため、アジャストナット１６を回転させてアジャストナット１６の位置を必要な距離から外し、この距離によって許容公差値を補うことができ、使用過程でアジャストナット１６が損傷された場合も直接交換できるのでとても便利である。
【００２５】
さらに、本体１に支持杆２６が軸着され、支持杆２６の他端がペダル８の背面と軸着し、支持杆２６は油圧ロッド又はヒンジ式ロッドである。よって、ペダル８を折り込んで収納する時、及び伸展して支持する時、より円滑な収納動作及び安定した支持効果を提供できる。
【００２６】
さらに、ケーブル巻き取り装置をさらに含み、ケーブル巻き取り装置は、ケーブル１７と、弾性部材１８と、第１巻き取り回転軸１９を介して本体１に接続されるダンパー２０と、を備え、ダンパー２０が風箱ダンパー、ウォータータンクダンパー、磁気ダンパー等を用いることができ、ケーブル１７の一端に引き手２１が設けられ、他端が第１巻き取り回転軸１９に接続すると共に巻き付け、本体１に第２巻き取り回転軸２２が設けられ、第１巻き取り回転軸１９と第２巻き取り回転軸２２は伝動部材２３を介して同期的に連動し、第１巻き取り回転軸１９と伝動部材２３との連結部の直径ｄ１が第２巻き取り回転軸２２と伝動部材２３との連結部の直径ｄ２より小さく、第２巻き取り回転軸２２に巻取リール２４が設けられ、弾性部材１８の一端が本体１に接続され、他端がロープを介して巻取リール２４の巻取スロット内に接続される。本実施例は、ｄ１とｄ２との間に直径差を生じさせ、大小輪の回転駆動を介して弾性部材１８及びロープ索２５の所要の長さを減少させ、本体１上の長さの延長を減少させるように設計し、弾性部材１８の弾性復元力を通じてケーブル１７に回収の駆動力を与えることで、本体１の体積を効果的に削減し、小型又は収納式ローイングマシンの構造設計要件を効果的に満たすことができ、構造全体は単純で、操作が便利で非常に高い実用性を持っている。
【００２７】
さらに、本体１に少なくとも１つボビン２６が設けられ、弾性部材１８は、ボビン２６を外嵌し；弾性部材１８は、引張りバネ又はスプリングロープ或いは弾性ロープであり、伝動部材２３がギアセット或いはタイミングベルトである。
【００２８】
さらに、本体１は、ロープ２５と第２巻き取り回転軸２２の箇所、ケーブル１７と第１巻き取り回転軸１９の箇所に複数のロープ案内用のシーブ２７及び／又はローラー２８が設けられる。
【００２９】
さらに、減衰調整装置も備え、減衰調整装置は、第１巻き取り回転軸１９のブッシングに固定された金属リング２９を備え、金属リング２９の外周に環状部材３１が外嵌固定され、環状部材３１の内側壁に金属リング２９の外縁部に複数の規制溝３２が設けられ、規制溝３２内に互いに平行な第１スライドブロック３３及び第１摺動溝３４が設けられ、第１巻き取り回転軸１９の回転軸筒に軸受筒を介してギア３５が設けられ、ギア３５に複数の円弧状中空部３６が環状に配列され、金属リング２９に複数の可動ブロック３７が設けられ、可動ブロック３７の金属リング２９に近い側に第１磁石３８が設けられ、金属リング２９は強磁性体であり、可動ブロック３７に摺動杆３９及び互いに平行な第２スライドブロック４０と第２摺動溝４１が設けられ、摺動杆３９が対応する円弧状中空部３６内に各々挿設され、第１スライドブロック３３と第２摺動溝４１がマッチし、第１摺動溝３４と第２スライドブロック４０がマッチし、ギア３５に駆動機構が連結される。
【００３０】
本実施例は、減衰調整が必要な場合、駆動機構３０を利用してギア３５を正回転又は逆回転させるだけでよい。ギア３５と第１巻き取り回転軸１９との間は、軸受で連結さているため、両者が回転に互いに影響しないので、ギア３５は円弧状中空部３６を通って規制溝３２の中で可動ブロック３７を移動させ、すなわち金属リング２９から離反及び接近する移動方法であり、可動ブロック３７に第１磁石３８が設けられ、第１磁石３８と金属リング２９との間に吸引力があり、また金属リング２９と第１巻き取り回転軸１９の固結により、第１磁石３８と金属リング２９との間の吸引力が第１巻き取り回転軸１９に回転抵抗をもたらし、第１磁石３８を金属リング２９に接近及び離反するよう制御すると減衰の大きさを調整することができる。
【００３１】
さらに、駆動機構３０は、図１０及び図１１に示すように、タービンとウォーム又はモーター１０１とタービンであり；
タービンとウォームの場合、タービンはギア３５と噛み合い、ウォームの末端にノブが固定され；
モーター１０１とタービンの場合、タービンはモーター１０１の出力軸の末端に固定され、タービンがギア３５と噛み合う。
【００３２】
さらに、折り込みベース部４の摺動溝７に可動枠４２が摺動可能に取り付けられ、可動枠４２は、滑車を介して摺動溝７に配置され、可動枠４２にスライドレール面４３が設けられ、ローイングマシンシート２がスライドレール面４３に摺動可能に取り付けられ、可動枠４２の前端及び後端に第２磁石４４が各々設けられ、ローイングマシンシート２の前端及び後端に第３磁石４５が設けられ、末尾部に位置する折り込みベース部４に第４磁石４６が設けられ、可動枠４２の第４磁石４６に対向する位置に第５磁石４７が設けられ、第２磁石４４と第３磁石４５の磁極は同じ、第４磁石４６と第５磁石４７の磁極が同じである。本実施例は、可動枠４２を追加で設置し、可動枠を摺動溝７との接触部材とし、折り込みベース部４が複数のヒンジで結合して形成され、ヒンジ結合部にクリアランス許容差があり、直接ローイングマシンシート２によって上に移動する場合、ローイングマシンシート２が隙間を通過すると振動が発生する。したがって、可動枠４２を追加で設置し、可動枠４２自体によって提供されるスライドレール面４３の長さを介して可動枠４２の滑車は隙間を通過することなく、１セットの引き放し動作を完了できる。ここで、用いられる折り込みベース部４の数が２つの場合、可動枠４２の長さは、１つの折り込みベース部４の長さと同じことが好ましい。もちろん、可動枠４２及びローイングマシンシート２の移動過程で、磁石を緩衝機構として用い、磁石の同極同士で反発しあいの原理を利用して、衝突のない緩衝作用を行うことで、快適さを向上させることができる。
【００３３】
同時に、本実施例も可動枠４２を採用せず、直接摺動溝に軟質ガスケットを敷き、軟質ガスケットで隙間を埋めて振動緩衝作用を実現する。
【００３４】
さらに、ローイングマシンシート２は、基台４８と、座部４９と、を備え、第３磁石４５が基台４８の前端及び後端に位置し、座部４９の底部に連結ポスト５０及び突き当て板５４が設けられ、連結ポスト５０の末端は基台４８を挿通し、添え板５２を設けると共に第２バネ５３で外嵌され、第２バネ５３の一端が基台４８に突き当て、他端が添え板５２に突き当て、基台４８表面の隅部に突き当て板５４に対応する規制ブロック５５が設けられ、基台４８底部の両側に複数の滑車が各々設けられ、滑車は可動枠４２のスライドレール面４３に配置される。ローイングマシンシート２を収納する必要がある場合、まず座部４９を持ち上げ、次に回転させ、突き当て板５４が基台４８の反対側に位置するようになり、この時突き当て板５４は吊り下げられ、そして座部４９を下ろして第２バネ５３の作用において、突き当て板５４が基台４８の側面に密着することから座部４９を下げて収納効果を奏し、全体体積を小さくする。
【００３５】
なお、本実施例の本体１に第１ランプ５７及び第２ランプ５８が設けられ、第１ランプ５７の光投射方向は、ダンパー２０に面し、第２ランプ５８の光投射方向が減衰調整装置及びケーブル巻き取り装置に面し、減衰調整装置及びケーブル巻き取り装置の上にある本体１の筐体は透明カバープレート５９であり、第１ランプ５７及び第２ランプ５８の動作電源の需要を満たすため、本体１は電池（図示せず）を内蔵するか、又は外部電源に接続する。第１ランプ５７の設計は、ダンパー２０を照らす光の要件を満たすことができ、ダンパー２０の引張回転過程で、光がダンパー２０を照らすとまばゆいばかりの光の美しさを演出し、特にダンパー２０はウォータータンクを用いた時、その効果がより顕著である。第２ランプ５８の設計は、ケーブル巻き取り装置及び減衰調整装置の照明を満たすことであり、使用者は各機構部品がより鮮明に見えるため、ケーブル巻き取りの状況を把握するのに便利で、減衰の調整が必要な場合も、調整の度合いも直感的に確認できる。
【００３６】
本考案では好ましい実施例を前述の通り開示したが、これらは決して本考案の保護範囲を限定するものではなく、本考案の明細書及び添付図面を利用して均等構造又は均等プロセスの変更、直接的又は間接的にその他の関連の技術分野に運用されることは、本考案の特許保護範囲内に含めるものであるのは勿論である。
【符号の説明】
【００３７】
１００  接続プレート
１０１  モーター
１０  緊締杆
１  本体
１１  第１杆部
１２  第２杆部
１３  緊締溝
１４  固定用凹み部
１５  第１バネ
１６  アジャストナット
１７  ケーブル
１８  弾性部材
１９  第１巻き取り回転軸
２０  ダンパー
２  ローイングマシンシート
２１  引き手
２２  第２巻き取り回転軸
２３  伝動部材
２４  巻取リール
２５  ロープ
２６  ボビン
２７  シーブ
２８  ローラー
２９  金属リング
３０  駆動機構
３  押し引きベース部
３１  環状部材
３２  規制溝
３３  第１スライドブロック
３４  第１摺動溝
３５  ギア
３６  円弧状中空部
３７  可動ブロック
３８  第１磁石
３９  摺動杆
４０  第２スライドブロック
４  折り込みベース部
４１  第２摺動溝
４２  可動枠
４３  スライドレール面
４４  第２磁石
４５  第３磁石
４６  第４磁石
４７  第５磁石
４８  基台
４９  座部
５０  連結ポスト
５  格納室
５２  添え板
５３  第２バネ
５４  突き当て板
５５  規制ブロック
５６  支持杆
５７  第１ランプ
５８  第２ランプ
５９  透明カバープレート
６  スライドレール
７  摺動溝
８  ペダル
９  ロックピン機構
【図１】
0003235012.tif 000003
【図２】
0003235012.tif 000004
【図３】
0003235012.tif 000005
【図４】
0003235012.tif 000006
【図５】
0003235012.tif 000007
【図６】
0003235012.tif 000008
【図７】
0003235012.tif 000009
【図８】
0003235012.tif 000010
【図９】
0003235012.tif 000011
【図１０】
0003235012.tif 000012
【図１１】
0003235012.tif 000013
【図１２】
0003235012.tif 000014
【図１３】
0003235012.tif 000015
【図１４】
0003235012.tif 000016
【図１５】
0003235012.tif 000017